(57)【要約】【課題】  撮影モード切換機能及びレンズ交換機能を備えるとともに、ファインダを内蔵しないカメラであっても、僅かな消費電力により必要な撮影情報を的確に表示できるようにする。【解決手段】  カメラボディ４の後面４ｒに配設した少なくとも三点のスポット点灯部５ａ，５ｂ，５ｃを有する点灯表示部５と、各スポット点灯部５ａ…を、選択的に点灯又は消灯制御し、及び一部又は全部のスポット点灯部５ｂ…の発光色を変更制御することにより、自動モードＭａでは複数の異なるシャッタスピード表示を選択的に行うとともに、手動モードＭｍでは複数の異なる露出表示を選択的に行う点灯制御部６を有する表示手段Ｓを備える。【選択図】  図１
2008033054.tif 000002
【特許請求の範囲】
【請求項１】
少なくとも、露出を設定するための自動モード又は手動モードを切換可能な撮影モード切換機能及び交換レンズを装着可能なレンズ交換機能を備えるとともに、ファインダを内蔵しないカメラにおいて、カメラボディの後面に配設した少なくとも三点のスポット点灯部を有する点灯表示部と、各スポット点灯部を、選択的に点灯又は消灯制御し、及び一部又は全部のスポット点灯部の発光色を変更制御することにより、前記自動モードでは複数の異なるシャッタスピード表示を選択的に行うとともに、前記手動モードでは複数の異なる露出表示を選択的に行う点灯制御部とを有する表示手段を備えることを特徴とするカメラ。
【請求項２】
前記カメラボディには、別体のファインダを着脱可能なファインダ装着機能を備えることを特徴とする請求項１記載のカメラ。
【請求項３】
前記スポット点灯部は、発光ダイオードを用いるとともに、一部又は全部のスポット点灯部に発光色の異なる複数の発光ダイオード又は単一の多色発光ダイオードを用いることを特徴とする請求項１又は２記載のカメラ。
【請求項４】
前記表示手段は、前記シャッタスピード表示と前記露出表示における一部又は全部のスポット点灯部の発光色を異ならせることを特徴とする請求項１記載のカメラ。
【請求項５】
前記表示手段は、電池が消耗したなら前記点灯表示部により電池消耗表示を行うことを特徴とする請求項１記載のカメラ。
【発明の詳細な説明】
【技術分野】
【０００１】
本発明は、交換レンズを装着可能なレンズ交換機能を備えるとともにファインダを内蔵しないカメラに関する。
【背景技術】
【０００２】
一般に、カメラの露出を設定するためのモードには、適正露出量を自動で設定する自動モードと撮影者がマニュアル操作により設定する手動モードがある。特に、手動モードは、撮影シーンに合った露出を微妙に設定できることからプロカメラマンや写真マニアなどで使用される場合が多い。
【０００３】
また、手動モードにより露出を設定するに際して撮影者の利便性に供するため、撮影情報を表示する表示部を備えたカメラも知られており、例えば、特開平１１−９５３０４号公報には、撮影情報（露出補正量）を第１の所定段数毎に設定可能な第１のモードと、撮影情報を第１の所定段数とは異なる第２の所定段数毎に設定可能な第２のモードとに切換え可能なモード切換え手段を備えたカメラであって、設定された撮影情報の設定量の度合いを表示する段数表示部と、段数表示部と対応して設けられ設定された撮影情報の設定値を表示する指標表示部と、モード切換え手段によるモード切換えに応じて段数表示部と指標表示部との対応関係を異ならせて表示させる表示制御手段とを備え、カメラボディの上面に配した液晶表示器（表示用ＬＣＤ）によりこれらの情報が表示されるようにしたカメラが開示されている。
【特許文献１】特開平１１−９５３０４号
【発明の開示】
【発明が解決しようとする課題】
【０００４】
ところで、できるだけ自動化要素を省くことによりマニアックな撮影を可能にしたカメラも知られており、通常、この種のカメラは、いわゆるボタン電池を使用し、大容量の電池やバッテリは使用しない。したがって、このようなカメラでは、従来のような消費電力の大きい液晶表示器等を搭載することは事実上困難となる。
【０００５】
一方、この種のカメラにおいて、交換レンズを装着可能なレンズ交換機能を備えるとともに、ファインダを内蔵しないカメラも知られている。このようなカメラでは、例えば、交換レンズとして超広角レンズを装着した場合、標準撮影を基準とする内蔵ファインダでは対応できなくなるため、ファインダ装着機能を設けることにより、専用ファインダの装着（外付）を可能にしている。しかし、このようなカメラでは、ファインダがカメラ本体とは別体となり、専用ファインダ内にカメラ本体側の情報を表示させることは事実上困難となる。
【０００６】
このように、露出を設定するための自動モード又は手動モードを切換可能な撮影モード切換機能及び交換レンズを装着可能なレンズ交換機能を備えるとともに、ファインダを内蔵しないタイプのカメラでは、撮影情報を表示する表示手段が制約され、結局、必要な撮影情報を的確に表示することが容易でないという問題があった。
【０００７】
本発明は、このような背景技術に存在する課題を解決したカメラの提供を目的とするものである。
【課題を解決するための手段】
【０００８】
本発明は、上述した課題を解決するため、少なくとも、露出を設定するための自動モードＭａ又は手動モードＭｍを切換可能な撮影モード切換機能２及び交換レンズＬを装着可能なレンズ交換機能３を備えるとともに、ファインダを内蔵しないカメラ１を構成するに際して、カメラボディ４の後面４ｒに配設した少なくとも三点のスポット点灯部５ａ，５ｂ，５ｃを有する点灯表示部５と、各スポット点灯部５ａ，５ｂ，５ｃを、選択的に点灯又は消灯制御し、及び一部又は全部のスポット点灯部５ｂ…の発光色を変更制御することにより、自動モードＭａでは複数の異なるシャッタスピード表示を選択的に行うとともに、手動モードＭｍでは複数の異なる露出表示を選択的に行う点灯制御部６とを有する表示手段Ｓを備えることを特徴とする。
【０００９】
この場合、発明の好適な態様により、カメラボディ４には、別体のファインダ１２を着脱可能なファインダ装着機能１１を設けることができる。また、スポット点灯部５ａ，５ｂ…には、発光ダイオード５ａｓ，５ｂｘ，５ｂｙ…を用いることができるとともに、一部又は全部のスポット点灯部５ｂ…に発光色の異なる複数の発光ダイオード５ｂｘ，５ｂｙ…又は単一の多色発光ダイオードを用いることができる。さらに、表示手段Ｓは、シャッタスピード表示と露出表示における一部又は全部のスポット点灯部５ｂ…の発光色を異ならせることができる。なお、この表示手段Ｓにより電池１３が消耗したなら点灯表示部５により電池消耗表示を行うことができる。
【発明の効果】
【００１０】
このような構成を有する本発明に係るカメラ１によれば、次のような顕著な効果を奏する。
【００１１】
（１）  カメラボディ４の外面４ｓに少なくとも三点のスポット点灯部５ａ…を有する点灯表示部５を配設し、各スポット点灯部５ａ…を、選択的に点灯又は消灯制御し、及び一部又は全部のスポット点灯部５ｂ…の発光色を変更制御することにより、自動モードＭａでは複数の異なるシャッタスピード表示を選択的に行うとともに、手動モードＭｍでは複数の異なる露出表示を選択的に行うようにしたため、露出を設定するための自動モードＭａ又は手動モードＭｍを切換可能な撮影モード切換機能２及び交換レンズＬを装着可能なレンズ交換機能３を備えるとともに、ファインダを内蔵しないカメラ１であっても、僅かな消費電力により必要な撮影情報を的確に表示することができる。
【００１２】
（２）  好適な態様により、カメラボディ４に、別体のファインダ１２を着脱可能なファインダ装着機能１１を設ければ、装着したファインダ１２に左右されることなく、必要な撮影情報を的確に得ることができる。
【００１３】
（３）  好適な態様により、スポット点灯部５ａ，５ｂ…に、発光ダイオード５ａｓ，５ｂｘ，５ｂｙ…を用いるとともに、一部又は全部のスポット点灯部５ｂ…に発光色の異なる複数の発光ダイオード５ｂｘ，５ｂｙ…又は単一の多色発光ダイオードを用いれば、柔軟な設計により、特に、より消費電力の少ないスポット点灯部５ａ，５ｂ…を構成することが可能となる。
【００１４】
（４）  好適な態様により、シャッタスピード表示と露出表示における一部又は全部のスポット点灯部５ｂ…の発光色を異ならせれば、カメラ１の撮影モードが自動モードＭａであるか手動モードＭｍであるかを容易に認識（確認）することができる。
【００１５】
（５）  好適な態様により、電池１３が消耗したなら点灯表示部５により電池消耗表示を行うようにすれば、スポット点灯部５ａ，５ｂ…を利用（兼用）して電池１３の消耗を確実に知ることができる。
【発明を実施するための最良の形態】
【００１６】
次に、本発明に係る最良の実施形態を挙げ、図面に基づき詳細に説明する。
【００１７】
まず、本実施形態に係るカメラ１の要部を含む全体の構成について、図１〜図５を参照して説明する。
【００１８】
カメラ１は、銀塩フィルムを使用するフィルム式カメラであり、図１及び図４に示すように、カメラボディ４を備える。カメラボディ４の前面には、バヨネット式のレンズマウントを介して交換レンズＬを装着できる。したがって、カメラ１は、交換レンズＬを装着可能なレンズ交換機能３を備えている。また、カメラボディ４の前面４ｆには、画角切換レバー２１を備える。さらに、カメラボディ４の上面４ｕには、中央付近の位置と前方から見て右寄りの位置に、それぞれアクセサリシュー２２，２３を備えるとともに、左側の位置には、モード切換部（切換スイッチ）２ｓを兼ねるシャッタスピード設定ダイヤル２４，レリーズボタン２５，フィルム巻上レバー２６を備える。
【００１９】
この場合、アクセサリシュー２２（又は２３）には、図１に示すように、別体のファインダ１２を装着することができ、このファインダ１２は、装着する交換レンズＬに対応した専用のファインダを選定することができる。したがって、このカメラ１にはファインダを内蔵していない。このアクセサリシュー２２（又は２３）は、カメラボディ４に別体のファインダ１２を着脱可能にするファインダ装着機能１１を構成する。
【００２０】
一方、カメラボディ４の後面４ｒ、より望ましくは、装着したファインダ１２を覗いた際に、容易に視認できる位置となる後面４ｒの上端付近であって、アクセサリシュー２２の斜め下方には、三点のスポット点灯部５ａ，５ｂ，５ｃを有する点灯表示部５を配設する。点灯表示部５は、図２に示すように、後方から見て左側に位置するスポット点灯部５ａに赤色の発光ダイオード５ａｓを使用し、真ん中に位置するスポット点灯部５ｂに橙色の発光ダイオード５ｂｘ及び緑色の発光ダイオード５ｂｙを使用し、右側に位置するスポット点灯部５ｃに赤色の発光ダイオード５ｃｘ及び緑色の発光ダイオード５ｃｙを使用する。また、各発光ダイオード５ａｓ，５ｂｘ，５ｂｙ…は、図３に示すように、基板３１の上に実装し、各スポット点灯部５ａ，５ｂ，５ｃに対応する発光ダイオード５ａｓ，５ｂｘ，５ｂｙ…を仕切壁３２ｐ，３２ｑ，３２ｒ，３２ｓにより囲むとともに、仕切壁３２ｐ，３２ｑ，３２ｒ，３２ｓの先端に光拡散板３３ａ，３３ｂ，３３ｃを取付けることによりスポット点灯部５ａ，５ｂ，５ｃを覆う。さらに、光拡散板３３ａ，３３ｂ，３３ｃの投射方向前方には、各スポット点灯部５ａ，５ｂ，５ｃに対応する透光窓３４ａ，３４ｂ，３４ｃを有する保護カバー３４を配設する。この保護カバー３４が、後面４ｒに露出して点灯表示部５となる。このように、スポット点灯部５ａ，５ｂ…に、発光ダイオード５ａｓ，５ｂｘ，５ｂｙ…を用いるとともに、各スポット点灯部５ｂ…に発光色の異なる二つの発光ダイオード５ｂｘ，５ｂｙ…を用いれば、柔軟な設計により、特に、より消費電力の少ないスポット点灯部５ｂ…を構成できる利点がある。
【００２１】
他方、図５は、カメラボディ４に内蔵する主要部における制御系（電気系）Ｐのブロック回路図を示す。なお、制御系Ｐは、デジタルカメラのように画像データを処理する必要がないため、マイコン（マイクロコンピュータ）等を用いて比較的簡易に構成できるとともに、電源として電力容量の少ない電池（ボタン電池）１３を用いることができる。４２は処理プログラムにより各種処理及び制御を実行するＣＰＵを備えるマイコンを示す。４３はレンズ絞り、４４は測光センサ、４５は測光回路をそれぞれ示す。例示は、実絞り測光方式を採用し、被写体輝度は絞り量が設定されたレンズ絞り４３を通過して測光センサ４４により測定されるとともに、この測光センサ４４の出力信号は、Ａ／Ｄ変換処理等の信号処理を行う測光回路４５を介してマイコン４２に付与される。２４はシャッタスピード設定ダイヤルを示し、この設定情報はマイコン４２に付与される。２はモード切換部２ｓを有する撮影モード切換機能であり、露出を設定するための自動モードＭａ又は手動モードＭｍを切換えることができる。自動モードＭａでは、適正露出量が自動で設定されるとともに、手動モードＭｍでは、撮影者がマニュアル操作により露出量を設定することができる。
【００２２】
また、４９は出力部（ＬＥＤドライバ）であり、マイコン４２から付与された制御信号に従って、前述した発光ダイオード５ａｓ，５ｂｘ，５ｂｙ…を有するスポット点灯部５ａ，５ｂ，５ｃを点灯制御する。したがって、マイコン４２及び出力部４９は、各スポット点灯部５ａ，５ｂ，５ｃを、選択的に点灯又は消灯制御し、及び一部又は全部のスポット点灯部５ｂ…の発光色を変更制御することにより、自動モードＭａでは複数の異なるシャッタスピード表示を選択的に行うとともに、手動モードＭｍでは複数の異なる露出表示を選択的に行う点灯制御部６を構成する。そして、この点灯制御部６と上述した点灯表示部５が表示手段Ｓを構成する。
【００２３】
次に、本実施形態に係るカメラ１における主要部の機能（動作）について、図１〜図７を参照して説明する。
【００２４】
最初に、手動モードＭｍについて説明する。手動モードＭｍを選択することにより、カメラ１では、手動モードＭｍに対応した処理が行われるとともに、点灯制御部６及び点灯表示部５では、露出表示モードＭｍｓに基づく点灯制御が行われる。図７（ａ）に露出表示モードＭｍｓによる点灯表示部５の点灯パターンを示す。この露出表示モードＭｍｓでは、発光ダイオード５ａｓ（赤色），５ｂｘ（緑色），５ｃｘ（赤色）が使用され、七つの異なる露出表示が選択的に行われる。
【００２５】
この場合、カメラ１では、図５に示すように、被写体の被写体輝度がカメラレンズに入光することにより、絞り量が設定されたレンズ絞り４３を通過し、測光センサ４４により測定されるとともに、測光センサ４４の出力信号は、測光回路４５に付与され、Ａ／Ｄ変換処理等の信号処理が行われた後、得られた輝度情報はマイコン４２に付与される。一方、撮影者は、シャッタスピード設定ダイヤル２４により、任意のシャッタスピードを設定する。この設定情報はマイコン４２に付与され、フィルム感度情報により補正される。そして、上述した輝度情報と設定情報の適性露出量に対する偏差が演算される。この偏差は、図７（ａ）に示す露出表示モードＭｍｓにより判定され、対応する制御信号が出力部４９を介して点灯表示部５に付与される。
【００２６】
今、シャッタスピードが適性に設定され、予め設定した適性範囲（例えば、−０．２５〜＋０．２５）にあるときは、スポット点灯部５ｂの発光ダイオード５ｂｘ（緑色）のみを点灯させる。このように、偏差が適正露出量の範囲にあるときは、中央のスポット点灯部５ｂのみを緑色に点灯させるため、一点表示のみとなり、適正露出量が確保されていることを明確に認識できる。一方、偏差が適正露出量の範囲を越えている場合を想定する。この場合、オーバ露出（ややオーバ）となり、偏差が、適正露出量に対して、例えば、＋０．２５〜＋０．７５の範囲にあるときは、スポット点灯部５ｂの発光ダイオード５ｂｘ（緑色）に加え、この右側に位置するスポット点灯部５ｃの発光ダイオード５ｃｘ（赤色）の双方を点灯させる。また、偏差が更にオーバ露出（オーバ）となり、適正露出量に対して、例えば、＋０．７５〜＋１．２５の範囲にあるときは、スポット点灯部５ｂの発光ダイオード５ｂｘを消灯させ、右側に位置するスポット点灯部５ｃの発光ダイオード５ｃｘ（赤色）のみを点灯させる。そして、偏差が更にオーバ露出（よりオーバ）となり、例えば、＋１．２５以上のときは、スポット点灯部５ｃの発光ダイオード５ｃｘ（赤色）のみを点滅させる。
【００２７】
同様に、偏差が適正露出量の範囲に満たない場合、即ち、アンダ露出（ややアンダ）となり、偏差が、適正露出量に対して、例えば、−０．２５〜−０．７５の範囲にあるときは、スポット点灯部５ｂの発光ダイオード５ｂｘ（緑色）に加え、この左側に位置するスポット点灯部５ａの発光ダイオード５ａｓ（赤色）の双方を点灯させる。また、偏差が更にアンダ露出（アンダ）となり、適正露出量に対して、例えば、−０．７５〜−１．２５の範囲にあるときは、スポット点灯部５ｂの発光ダイオード５ｂｘを消灯させ、左側に位置するスポット点灯部５ａの発光ダイオード５ａｓ（赤色）のみを点灯させる。そして、偏差が更にアンダ露出（よりアンダ）となり、例えば、−１．２５未満のときは、スポット点灯部５ａの発光ダイオード５ａｓ（赤色）のみを点滅させる。
【００２８】
このように、手動モードＭｍでは、発光ダイオード５ａｓ（赤色），５ｂｘ（緑色），５ｃｘ（赤色）が使用され、露出表示モードＭｍｓに基づいて七つの異なる露出表示が選択的に行われる。したがって、ファインダを内蔵しないカメラ１であっても、僅かな消費電力により必要な撮影情報を的確に表示できる。また、適正な（希望する）露出量を速やかに設定することが可能となり、実際の撮影においてシャッタチャンスを逃すことなく最適な撮影を行うことができる。特に、手動モードＭｍにおける露出表示は、撮影の善し悪しに大きく影響するため、本実施形態のように、緑色（適性）と赤色（不適性）を組合わせることにより、適性又は不適性を容易かつ確実に認識することができる。
【００２９】
次に、自動モードＭａについて説明する。自動モードＭａを選択すれば、カメラ１では、自動モードＭａに対応した処理が行われるとともに、点灯制御部６及び点灯表示部５では、シャッタスピード表示モードＭａｓに基づく点灯制御が行われる。図７（ｂ）にシャッタスピード表示モードＭａｓによる点灯表示部５の点灯パターンを示す。このシャッタスピード表示モードＭａｓでは、発光ダイオード５ａｓ（赤色），５ｂｙ（橙色），５ｃｙ（緑色）が使用され、七つの異なるシャッタスピード表示が選択的に行われる。この場合、カメラ１では、マイコン４２に付与された輝度情報に基づいて自動で適性露出量（シャッタスピード）が設定される。そして、設定されたシャッタスピードが図７（ｂ）に示すシャッタスピード表示モードＭａｓにより表示される。なお、シャッタスピード表示は、主に手振れに対する影響を考慮して設定する。
【００３０】
今、シャッタスピードが１／６０〜１／３０（中速）に設定されれば、スポット点灯部５ｂの発光ダイオード５ｂｙ（橙色）のみを点灯させる。このシャッタスピードの範囲は、やや手振れが影響するため、その注意を促す意味で、中央のスポット点灯部５ｂのみを橙色に点灯させる。一方、シャッタスピードが１／１２５〜１／６０（中高速）に設定されれば、スポット点灯部５ｂの発光ダイオード５ｂｙ（橙色）に加え、この右側に位置するスポット点灯部５ｃの発光ダイオード５ｃｙ（緑色）の双方を点灯させる。これにより、シャッタスピードが１／１２５〜１／６０に設定されていることを容易に認識できるとともに、特に、スポット点灯部５ｃの発光ダイオード５ｃｙ（緑色）が点灯することにより、手振れの心配を脱していることを認識できる。また、シャッタスピードが１／２０００〜１／１２５（高速）に設定されれば、スポット点灯部５ｂの発光ダイオード５ｂｙ（橙色）を消灯し、右側に位置するスポット点灯部５ｃの発光ダイオード５ｃｙ（緑色）のみを点灯させる。これにより、シャッタスピードが１／２０００〜１／１２５に設定されていることを容易に認識できるとともに、特に、手振れについはほとんど心配がないことを認識できる。さらに、シャッタスピードが１／２０００未満の領域に入る場合は、露出オーバにより連動範囲外となるため、警告の意味でスポット点灯部５ｃの発光ダイオード５ｃｙ（緑色）のみを点滅させる。
【００３１】
他方、シャッタスピードが１／３０〜１／１５（中低速）に設定されれば、スポット点灯部５ｂの発光ダイオード５ｂｙ（橙色）に加え、この左側に位置するスポット点灯部５ａの発光ダイオード５ａｓ（赤色）の双方を点灯させる。これにより、シャッタスピードが１／３０〜１／１５に設定されていることを容易に認識できるとともに、手振れに対して特に注意が必要であることを認識できる。また、シャッタスピードが１／１５〜８″（低速）に設定されれば、スポット点灯部５ｂの発光ダイオード５ｂｙ（橙色）を消灯し、左側に位置するスポット点灯部５ａの発光ダイオード５ａｓ（赤色）のみを点灯させる。これにより、シャッタスピードが１／１５〜８″に設定されていることを容易に認識できるとともに、三脚が必要な状態にあることを認識できる。さらに、シャッタスピードが８″以上の領域に入る場合は、露出アンダにより連動範囲外となり、警告の意味でスポット点灯部５ａの発光ダイオード５ａｓ（赤色）のみを点滅させる。
【００３２】
このように、自動モードＭａでは、発光ダイオード５ａｓ（赤色），５ｂｙ（橙色），５ｃｙ（緑色）が使用され、シャッタスピード表示モードＭａｓに基づいて七つの異なるシャッタスピード表示が選択的に行われる。したがって、ファインダを内蔵しないカメラ１であっても、僅かな消費電力により必要な撮影情報を的確に表示できる。また、自動モードＭａであっても、シャッタスピードの設定状態を速やかに認識することができ、実際の撮影において、より良好な撮影を行うことができる。特に、自動モードＭａにおけるシャッタスピード表示は、より好ましい撮影を支援するため、本実施形態のように、基準となる橙色を中心にして緑色（安全側）と赤色（手振側）を組合わせることにより、安全側と手振側を容易かつ確実に認識することができる。しかも、シャッタスピード表示モードＭａｓと露出表示モードＭｍｓにおける一部のスポット点灯部５ｂ…の発光色を異ならせたため、カメラ１における撮影モードが自動モードＭａであるか手動モードＭｍであるかを容易に認識（確認）することができる。
【００３３】
なお、このような点灯表示が実際のシャッタスピードとどのように対応しているかを容易に知ることができるようにするため、図１に示すように、カメラボディ４における点灯表示部５の下方に位置する背面４ｒに、点灯表示部５に対応するガイドパネル部２７を設けることができる。このガイドパネル部２７の一例を図６に拡大して示す。このガイドパネル部２７には、シャッタスピードを目盛状に表示したシャッタスピード表示部２７ｎと、各スポット点灯部５ａ，５ｂ，５ｃの点灯パターンに対応した点灯パターン表示部２７ｂを表示する。点灯パターン表示部２７ｂにおける、ライン（赤色）５１はスポット点灯部５ａに対応し、ライン（橙色）５２はスポット点灯部５ｂに対応し、ライン（緑色）５３はスポット点灯部５ｃに対応する。
【００３４】
他方、図７（ｃ）に示すように、表示手段Ｓにより電池１３が消耗したなら点灯表示部５により電池消耗表示を行う電池消耗表示モードＭｃを設けることができる。この場合、カメラ１の電源スイッチ（不図示）をＯＮした際に、電池１３の電圧が予め設定した基準電圧よりも低下している場合には、スポット点灯部５ａの発光ダイオード５ａｓ（赤色）とスポット点灯部５ｃの発光ダイオード５ｃｘ（赤色）の双方を数回点滅させる。これにより、スポット点灯部５ａ，５ｂ…を利用（兼用）して電池１３の消耗を確実に知ることができる。
【００３５】
以上、最良の実施形態について詳細に説明したが、本発明は、このような実施形態に限定されるものではなく、細部の構成，形状，数量，数値等において、本発明の要旨を逸脱しない範囲で、任意に変更，追加，削除することができる。
【００３６】
例えば、点灯表示部５として、三点のスポット点灯部５ａ，５ｂ，５ｃを例示したが、四点以上のスポット点灯部５ａ…を用いる場合を排除するものではない。また、各スポット点灯部５ａ，５ｂ，５ｃの一部の発光色を変更する場合を示したが全部の発光色を変更してもよい。特に、シャッタスピード表示モードＭａｓと露出表示モードＭｍｓにおける全部のスポット点灯部５ａ…の発光色を異ならせてもよく、この際、青色など、各種色を選定することができる。さらに、スポット点灯部５ｂ…として、発光色の異なる二つの発光ダイオード５ｂｘ，５ｂｙ…を用いた場合を例示したが、単一の多色発光ダイオードを用いてもよい。
【図面の簡単な説明】
【００３７】
【図１】本発明の最良の実施形態に係るカメラの外観背面図、
【図２】同カメラに備える点灯表示部の抽出拡大図、
【図３】同カメラに備える点灯表示部の断面平面図、
【図４】同カメラの外観正面図、
【図５】同カメラの主要部における制御系（電気系）のブロック回路図、
【図６】同カメラに設けたガイドパネル部の抽出拡大図、
【図７】同カメラに備える点灯表示部の点灯パターン表、
【符号の説明】
【００３８】
１：カメラ，２：撮影モード切換機能，３：レンズ交換機能，４：カメラボディ，４ｒ：カメラボディの後面，５：点灯表示部，５ａ：スポット点灯部，５ｂ：スポット点灯部，５ｃ：スポット点灯部，５ａｓ：発光ダイオード，５ｂｘ：発光ダイオード，５ｂｙ：発光ダイオード，５ｃｘ：発光ダイオード，５ｃｙ：発光ダイオード，６：点灯制御部，１１：ファインダ装着機能，１２：ファインダ，１３：電池，Ｓ：表示手段，Ｌ：交換レンズ，Ｍａ：自動モード，Ｍｍ：手動モード
【図１】
2008033054.tif 000003
【図２】
2008033054.tif 000004
【図３】
2008033054.tif 000005
【図４】
2008033054.tif 000006
【図５】
2008033054.tif 000007
【図６】
2008033054.tif 000008
【図７】
2008033054.tif 000009